(57)【要約】【課題】  衛生的であると共に、力の弱い者であっても簡単に開口操作できるという利点を有し、また、容体の通気口を水密に塞ぐ必要と、通気口から漏水する心配とがないという効果を発揮し、さらに、フィルムの密着度合による製品のフィルム剥離性にバラツキが発生せず、このことによって需要者が使い易くなるというハイクオリティーな食品容器を提供する。【解決手段】  容体の一端部に充填食品取出口３が形成され、かつその容体の他端部に充填食品取出操作部２が形成された食品容器Ａにおいて、該充填食品取出操作部に外向突設された開口部材４を、開口操作具として操作中のキャップ５で倒して容体１内に通じる通気口６を開口し、かつその通気口開口操作終了後のキャップで前記充填食品取出操作部２を閉塞する。そして、前記開口部材４を前記キャップ５で倒し始めると、圧縮され始めた内部空気が次第に排出される。さらに、キャップ５の開口操作によるキャップ移動方向が容体１の軸方向又は周方向である。  【選択図】図１
2006240705.tif 000002
【特許請求の範囲】
【請求項１】
容体の一端部に充填食品取出口が形成され、かつその容体の他端部に充填食品取出操作部が形成された食品容器において、該充填食品取出操作部に外向突設された開口部材を、開口操作具として操作中のキャップで倒して容体内に通じる通気口を開口し、かつその通気口開口操作終了後のキャップで前記充填食品取出操作部を閉塞することを特徴とする食品容器。
【請求項２】
前記充填食品取出操作部に外向突設された開口部材を、開口操作具として使用するキャップで倒し始めると、圧縮され始めた内部空気が次第に排出されることを特徴とする請求項１記載の食品容器。
【請求項３】
キャップの開口操作によるキャップ移動方向が容体の軸方向であることを特徴とする請求項１記載の食品容器。
【請求項４】
キャップの開口操作によるキャップ移動方向が容体の周方向であることを特徴とする請求項１記載の食品容器。
【発明の詳細な説明】
【技術分野】
【０００１】
本発明は、とうふ、プリン、水羊かん、寒天、ゼリーなどのゲル状物質の食品の充填及び取出しに適した食品容器に関する。
【背景技術】
【０００２】
前記ゲル状物質の充填及び取出しが可能な食品容器としては、容体底部の外面に開口部材を有し、開口部材に対応する容体底部内面に開口部材の横断面積とほぼ同程度の面積を有するくぼみを設け、かつ開口部材の周辺に保護枠を設けた筒状容器という構成の考案が実公昭５４−４０３４９号公報（特許文献１）に記載されて広く知られている（以下、この刊行物記載の周知技術を第１背景技術と称す）。
この第１背景技術によれば、ゼリー状物の入った容器を倒置し、開口部材を倒すと、開口部材と容体底部との形成する部分が破れて通気口が開口され、その通気口から容体内に空気が流入し、容体に密着していたゼリー状物が簡単に容体から抜け出るから、容体内形状を保ったものが得られるという利点がある。
上記第１背景技術は、叙述の利点を有するものの、開口部材を倒すときに開口部材と保護枠との間に指先を入れ、その指先で直接開口部材を倒さなければならないため、不衛生になりやすいという心配があると共に、開口部材を倒すときに指先に力を込めなければならず、力の弱い女性や子供にとっては、簡単に倒すことが困難になるという不利がある。
【０００３】
前記第１背景技術のほか、容体の底部に通気口を開口すると共に、該容体とは別体に栓を設け、該栓は上記通気口と係脱可能で、かつ該通気口を閉塞可能として成ることを特徴とするプリンカップという構成の考案が実開昭５４−１０９７０８号公報（特許文献２）に記載されて周知となっている（以下、この刊行物記載の周知技術を第２背景技術と称す）。
かかる第２背景技術によるときは、プリンを容体から取り出す場合に栓を抜くだけで容体内の底部側に空気を流入させることができる。従って、プリンを取り出す時に容体内の底部側が負圧になるようなことはなく、容易に容体からプリンが剥離してプリンが取り出し易い。しかも通気口は、栓で塞ぐようにしてあるので、繰返し使用可能なプリンカップとすることができて経済的であるという効果を有する。
しかし、この第２背景技術は、容体底部の通気口を水密に塞ぐことが技術的になかなか難しいため、商品が揺動したり、震動したりすると栓が緩み、栓の周りから漏水することが心配される。そして、容体底部の通気口に栓を水密に嵌めることが可能になると、上記漏水の心配が解消するものの、簡単に栓を引抜くことが難しくなり、力の弱い女性や子供にとって使いにくい商品になってしまう。
【０００４】
上記した２つの背景技術のほかに、連続または断続した貫通する切り込み部で囲繞してなる通気口部を底部及び／又は側壁部に有する合成樹脂製の容器であって、切り込み部はその外面がフィルムで密封されていることを特徴とする容器という構成の発明が特開２００２−１２２６７号公報（特許文献３）、特開２００３−９５３７１号公報（特許文献４）、特開２００４−２１７２３１号公報（特許文献５）等に記載され周知となっている（以下、これら刊行物記載の周知技術を第３背景技術群と称す）。
これらの第３背景技術群によるときは、フィルムの密着度合（密着の強さ、弱さという度合）によって、フィルムを剥離することが容易になったり、逆に困難になったりすることが多く、製品にバラツキが発生し、このバラツキの発生によって、需要者が使用しにくい商品になるという問題点がある。しかも、このフィルムの剥離性にバラツキが生じるという問題点は、外見上では判断が難しく、フィルムの剥離動作を実際にやってみて、初めて理解できるというやっかいな問題点である。
【０００５】
【特許文献１】実公昭５４−４０３４９号公報
【特許文献２】実開昭５４−１０９７０８号公報
【特許文献３】特開２００２−１２２６７号公報
【特許文献４】特開２００３−９５３７１号公報
【特許文献５】特開２００４−２１７２３１号公報
【発明の開示】
【発明が解決しようとする課題】
【０００６】
本発明は、前記第１背景技術から第３背景技術群が有する問題点に鑑みてなされたもので、衛生的であると共に、力の弱い者であっても簡単に開口操作できるという第１背景技術が奏し得ない利点を有し、また、容体の通気口を水密に塞ぐ必要と、通気口から漏水する心配とがないという第２背景技術が発揮できない効果を発揮し、さらに、シールの密着度合による製品のシール剥離性にバラツキが発生せず、このことによって需要者が使いやすくなるという第３背景技術群改良効果を奏するハイクオリティーな食品容器を提供することにある。
【課題を解決するための手段】
【０００７】
本発明は、前記課題を解決するため、容体の一端部に充填食品取出口が形成され、かつその容体の他端部に充填食品取出操作部が形成された食品容器において、該充填食品取出操作部に外向突設された開口部材を、開口操作具として操作中のキャップで倒して容体内に通じる通気口を開口し、かつその通気口開口操作終了後のキャップで前記充填食品取出操作部を閉塞するという技術手段を提案する。
【０００８】
そして、本発明は、前記充填食品取出操作部に外向突設された開口部材を、開口操作具として使用するキャップで倒し始めると、圧縮され始めた内部空気が次第に排出されるという技術手段を提案する。
【０００９】
また、本発明は、キャップの開口操作によるキャップ移動方向が容体の軸方向であるという技術手段を特徴とする。
【００１０】
さらに、本発明は、キャップの開口操作によるキャップの移動方向が容体の周方向であるという技術手段を提案する。
【発明の効果】
【００１１】
本発明は、叙上のように容体の一端部に充填食品取出口が形成され、かつその容体の他端部に充填食品取出操作部が形成された食品容器において、該充填食品取出操作部に外向突設された開口部材を、開口操作具として操作中のキャップで倒して容体内に通じる通気口を開口し、かつその通気口開口操作終了後のキャップで前記充填食品取出操作部を閉塞することを特徴とするという請求項１の記載により、次のような諸効果を奏する。
第１に、開口部材を直接指先で倒さず、キャップで倒すという手段により、通気口開口操作を衛生的に行うことができ、第２に、開口部材が充填食品取出操作部に外向突設されているという手段により、通気口を栓で水密に塞いで容体内を密封する必要がなくなり、栓が揺動、震動などで緩んで通気口から漏水する心配が解消し、第３に、通気口をフィルムで密封するという手段を採用していないので、フィルムの剥離性にバラツキが発生しない製品が得られ、このことによって、使用者が使いやすい商品になるという効果を奏し、第４に、通気口開口操作終了後のキャップで充填食品取出操作部を閉塞するという手段により、これら２つの通気口開口操作と充填食品取出操作部閉塞動作とを連続した動作として行い得、能率よく開口及び閉塞をなし得るという効果を発揮する。
【００１２】
そして、充填食品取出操作部に外向突設された開口部材を、開口操作具として使用するキャップで倒し始めると、圧縮され始めた内部空気が次第に排出されるという請求項２記載の手段により、強い力でキャップを操作しないですみ、力の弱い者でも簡単に開口操作でき、誰でも手軽に使用できるという利点を有する。
【００１３】
また、キャップの開口操作によるキャップ移動方向が容体の軸方向であるという請求項３記載の手段により、開口部材を確実に倒して通気口を開口できるという効果と、充填食品取出操作部を確実に閉塞できるという利点とを有する。
【００１４】
さらに、キャップの開口操作によるキャップの移動方向が容体の周方向であるという請求項４記載の手段により、容体及びキャップの外面形状を同じ角形に成形し、容体またはキャップのいずれか一方を周方向（所定の周方向）に移動すれば、その外面の移動前の方向と、移動後の方向との違いにより、開口部材が倒されて通気口が開口されたことを知ることができるという効果と、この効果に続いて充填食品取出操作部がキャップで閉塞されたことを知ることができるという効果とを奏する。
【発明を実施するための最良の形態】
【００１５】
以下、本発明を実施するための形態例を、添付の図面を参照しながら説明する。
【００１６】
実施形態例１（図１〜図９参照）
食品容器Ａは、容体１及びキャップ５からなり、両方とも合成樹脂で製造する。素材となる合成樹脂は、熱可塑性軟質合成樹脂（たとえば、ポリエチレン樹脂やポリプロピレン樹脂等のポリオレフィン系樹脂、ポリスチレン系樹脂、その他）、熱可塑性硬質合成樹脂（たとえば、アクリル樹脂、スチロール樹脂など）などを用いることができる。
【００１７】
容体１に充填される食品８は、とうふ、プリン、水羊かん、寒天、ゼリーなどのゲル状物であって、容体１内に加工済材料を充填し、常法によって製造する。
【００１８】
容体１は、一端部（図１で下端部）を開放端部となして充填食品取出口３を形成すると共に、この食品取出口を前記加工済材料の充填口として利用するようにする。容体１は、他端部（図１で上端部）の端壁１’に開口部材４を外向に突設すると共に、周壁を端壁１’よりも外方に延設して開口部材４を囲む囲繞壁１”を構成し、キャップ５を嵌めるのに利用すると共に、キャップ５を開口操作具として使用するのに利用するようにする。
容体１は、不図示であるが、プリンカップで周知の小鉢状形状のほか、図示例のように細長い筒状形状に構成するようにし、棹物と称される細長い食品８を製造し得るようにする。そして、容体１の横断面形状は、図示例の角形のほか、真円形、楕円形、六角形など色々な断面形状に構成する。
【００１９】
充填食品取出操作部２は、前記外向突設された開口部材４、前記囲繞壁１”、キャップ５、押倒部９等で構成され、該キャップで開口部材４を押倒し、通気口６を開口して食品８を充填食品取出口３から取出すのに使用する。
【００２０】
開口部材４は、容体１の端壁１’の外面に外向に突設するが、その形状は、図示例の細杆状のほか細い円錐形などに端壁１’と一体に形成して突設し、キャップ５の軸方向移動によって、押倒部９で押倒されると、端壁１’に通気口６を開口するように構成する。
開口部材４は、キャップ５で押された際に基部付近からポッキリ折れてしまうと、端壁１’に通気口６が開口されないことになるため、この弊害が発生することを避ける手段として、基部に厚肉大径の台座４’を一体に形成し、この台座を端壁１’と薄肉部１’−１で一体に成形して、開口部材４がキャップ５で押されると、台座４’の周辺の薄肉部１’−１が切断され、通気口６が開口されるように構成する。
開口部材４の配設部位は、容体１の端壁１’の中心部でも、それ以外の部位でも構わないと共に、その高さは、容体１の囲繞壁１”と同じ高さを最長とし、該囲繞壁から突出しない高さに突設する。
【００２１】
キャップ５は、開口部材４を押倒すための押倒部９を天板５’の内面に突設し、その押倒部の先端部の角部（図１、図６で下端部の右側角部）に半円凹面状の押倒面９’を形成し、開口操作具としてキャップ５を容体１の軸方向に移動して操作すると、押倒面９’で開口部材４が基部の台座４’周辺の薄肉部１’−１から押倒され、その薄肉部の全部又は一部が切断されて通気口６が開口され、容体１内に空気が流通し、該容体内の食品８が取出されるように構成する。なお、容体１内の食品８を取出す通気口開口操作を行う場合は、充填食品取出口３を下向にして充填食品取出操作部２を操作する。
【００２２】
キャップ５に構成した押倒部９の押倒面９’は、キャップ５の軸方向移動によって開口部材４を押すと、該開口部材が前後方向（図２で上下方向）へ顕著に往復動することなく側方（図１で右方向）へ押倒されるように半円凹面状に構成する。
【００２３】
処で、押倒部９の押倒面９’を半円凹面状に形成する目的は厚肉大径の台座４’を開口部材４と一緒に端壁１’から切離して上記側方へ倒すことにあり、そのためには台座４’を押倒部９でスムースに捉える必要があるからである。
従って、押倒部９の押倒面９’は、開口部材４の台座４’よりも僅か大径に成形する。
【００２４】
通気口６は、容体１の端壁１’に開口部材４の台座４’の大きさに開口されるが、その台座は、自体の周辺の薄肉部１’−１が切断されることによって通気口６を開口し、容体１内に空気が流入し、該容体内の食品８が取出される。
【００２５】
処で、キャップ５の天板５’の適宜部位又は周壁５”の天板５’に近い適宜部位に排気孔７を開穿し、キャップ５を軸方向移動して開口部材４を押倒し始めると、容体１の囲繞壁１”及びキャップ５で形成される内腔内の内部空気が圧縮されて排気孔７から次第に排出され始め、キャップ５の軸方向移動を円滑ならしめ、開口部材４を軽い力でスムースに押倒し得るようにする。
【００２６】
キャップ５で開口部材４が倒されて通気口６が開口され、容体１内に空気が流入したとき、キャップ５は、容体１と相互に係合かつ係外する係合部１０が係合し、容体１から外れずに保持され、通気口６が開口された充填食品取出操作部２を閉塞する。
【００２７】
係合部１０は、容体１の外周面に形成された係合突条又は係合凹条１０’と、キャップ５の周壁５”の内面に形成されて前記係合突条又は係合凹条１０’に係合かつ係外する凹条又は突条１０”とで構成する。なお、係合部１０は、前記係合突条又は係合凹条１０'、前記凹条又は突条１０”に限定されるものではなく、相互に係合かつ係外するものであれば、凸部と凹部とで構成することができる。
【００２８】
図１に符号１１で示す部材は、充填食品取出口３に着脱可能に装着した被蓋であり、容体１に充填されている食品８を取出す際は脱離する。
【００２９】
実施形態例２（図１０〜図１４参照）
この形態は、実施形態例１と部分的に相違するので、相違する構成について説明し、実施形態例１と同じ構成については、実施形態例１に使用した符号と同じ符号を実施形態例１の符号記入部位と同じ部位に付して重複説明を省略する。
【００３０】
充填食品取出操作部２は、容体１の端壁１’に開口部材４を外向突設する構成を実施形態例１の構成と同じくするが、その開口部材の構成（形状と配設部位）が実施形態例１の形態と相違する。
【００３１】
開口部材４は、容体１の端壁１’に細い円錐形（又は角錐形）という形状に突設する点が実施形態例１と相違し、かつ開口部材４の配設部位が容体１の中心部を外れた偏心部位となっている点が実施形態例１と相違する。この開口部材４の配設部位は、キャップ５の押倒部９の配設部位と相対的関係を有するもので、前記偏心部位だけに制約されるのもではない。
【００３２】
キャップ５は、天板５’の中心部位の内面に逆円錐形の押倒部９を設けた点、及び容体１（の囲繞壁１”）とキャップ５（の周壁５”）との嵌合形態がねじ嵌合（換言すれば螺合）である構成が実施形態例１の構成と異なる。
【００３３】
開口部材４と押倒部９との径寸法は、一方が他方よりも径大であればよく、配設部位は、図示の形態と逆の形態にすることも考えられるが、図示の形態のほうが、開口部材４を側方（図１２で左方向）へ確実に押倒すので好ましいと思料する。
【００３４】
開口部材４と押倒部９の配設部位を図示の形態と逆の形態にすると、即ち、開口部材４を容体１の中心部位に、押倒部９をキャップ５の偏心部位に夫々配設した場合、キャップ５をねじ込み方向に回して軸方向移動しても、押倒部９が開口部材４の周りを回りながら、開口部材４を容体１の径方向に撓らせ、簡単には側方（図１２で左方）へ押倒さない構成になるので好ましくない。
【００３５】
処で、実施形態例１及び２の形態における薄肉部１’−１の面積は、実施形態例１における開口部材４の台座４'の横断面積及び実施形態例２における開口部材４の基部の横断面積よりも広い面積とするか、或いは同程度の面積とし、どちらか通気口６を開口し易いほうを採用する。
【００３６】
この実施形態例２は、容体１とキャップ５及び被蓋１１との嵌合部を除く他の部位の横断面形状を同じくするも、異にするも任意である。
【００３７】
実施形態例３（図１５〜図２９）
本形態は、実施形態例１と発明の要部の構成が相違するので、その相違する構成を説明し、実施形態例１と同じ構成については、実施形態例１に使用した符号と同じ符号を実施形態例１の符号記入部位と同じ部位に付して重複説明を省略する。
【００３８】
容体１は、囲繞壁１”を構成していない点が実施形態例１と相違する。
充填食品取出操作部２は、容体１の端壁１’に外向突設された開口部材４、キャップ５、押倒部９等で構成される点を実施形態例１の構成と同じくするが、開口部材４の構成（形状と配設部位）、容体１に対するキャップ５の取付構成、キャップ５の内面に設けられる押倒部９の構成などが実施形態例１の構成と異なる。
【００３９】
開口部材４は、容体１の端壁１’に円錐形（又は角錐形）という形状に突設する構成が実施形態例１の構成と相違し、かつ開口部材４の配設部位が容体１の偏心部位となっている点が実施形態例１の構成と相違する。
開口部材４は、容体１の端壁１’における偏心部位に円錐形（または角錐形）に突設し、かつ基部周囲の端壁１’に切込４’を形成して端壁１’に薄肉部１’−１を構成し、キャップ５を容体１の周方向（図１６の矢印方向）に操作すると、押倒部９で開口部材４が薄肉部１’−１から押倒され、その薄肉部の全部または一部が切断されて通気口６が開口され、容体１内に空気が流通し、その容体内の食品８が取出されるように構成する。
【００４０】
開口部材４を円錐形（または角錐形）に形成するのは、該開口部材が押された際に基部付近からポッキリ折れてしまうと、端壁１’に通気口６が開口されないことになるため、この不具合の発生を予め防止することを目的とするもので、そのための手段として、開口部材４を基部に至るに従って次第に太く構成するのである。
【００４１】
キャップ５は、天板５’の内面に横断面略Ｓ字形の押倒部９を一体に構成したこと、及び容体１の端壁１’の中心部位に外向立設された支柱１”に押倒部９の中心部位を周方向移動可能に嵌め、キャップ５を周方向（図１６で矢印方向）へ移動すると、押倒面９が同時に移動するように構成した取付構成などが実施形態例１の構成と相違する。
【００４２】
キャップ５は、開口部材４を押倒すための押倒部９を天板５’の内面に横断面略Ｓ字形に一体成形すると共に、キャップ５の高さよりも若干低い高さに成形し、押倒部９の中心部位を、容体１の端壁１’に外向立設された支柱１”に周方向移動可能に取付け、かつ該押倒部の両端（又は片端）に反円凹面状（又はコ字状）の押倒面９’を形成し、開口操作具としてキャップ５を容体１の周方向に移動して操作すると、押倒面９’で開口部材４が薄肉部１’−１から押倒され、その薄肉部の全部又は一部が切断されて通気口６が開口され、容体１内に空気が流通し、該容体内の食品８が取出されるように構成する。
【００４３】
しかして、容体１及びキャップ５の外面形状を同じ角形に成形することと、該キャップを開口操作具として容体１の周方向に移動せしめて、外面の方向の違いにより、通気口６が開口されたことを知り得る移動角度と、通気口６がいつ開口されたかという通気口開口時点との関係を図面参照のもとに説明する。
【００４４】
キャップ５を容体１の周方向に移動する前は、容体１及びキャップ５の外面の方向を揃えて（一致させて）おく。この場合、押倒部９は開口部材４から離れている（図１５、図１６、図２９（ａ）参照）。
【００４５】
次いで、キャップ５を開口操作具として利用するため、周方向（図１６の矢印方向）に回すと、容体１の外面と、キャップ５の外面が不揃い（不一致）となり、同時にキャップ５内においては、押倒部９の押倒面９’が開口部材４に当接し、その開口部材を押倒すための準備が終了する（図２０、図２２参照）。
【００４６】
また、キャップ５を周方向（図２２の矢印方向）へ回すと、容体１の外面及びキャップ５の外面がまだ不揃い（不一致）のうちに、開口部材４に当接していた押倒部９の押倒面９’が開口部材４を強く押して倒し始める（図２３、図２４、図２５、図２９（ｂ）参照）。
【００４７】
引続きキャップ５を周方向（図２５で矢印方向）へ回すと、押倒部９（詳しくは、押倒部９の押倒面９’）が開口部材４を押倒し、容体１の端壁１’に形成された薄肉部１’−１の全部または一部を切断して開口部材４を上記薄肉部１’−１から切離すが、この時、容体１の外面とキャップ５の外面とは、未だ不揃い（不一致）であって、揃う（一致する）直前である（図２３、図２４、図２５から図２６、図２７、図２８へ変る途中）。
【００４８】
さらに、容体１の外面とキャップ５の外面とが揃う（一致する）までキャップ５を周方向（図２５で矢印方向）へ回せば、押倒部９が開口部材４を容体１（詳しくは、容体１の端壁１’に形成された薄肉部１’−１）からさらに切離して通気口６が開口され、容体１内に空気が流通し、食品８が取出し可能となる（図２６、図２７、図２８、図２９（ｃ）参照）。
【００４９】
上記をまとめると、イ．容体１の外面とキャップ５の外面とが揃った（一致した）外観では、通気口６は未開口、ロ．容体１の外面とキャップ５の外面とが不揃い（不一致）の外観では、開口部材４の押倒し開始から、通気口６の開口へと進行、ハ．再び容体１の外面とキャップ５の外面とが揃った（一致した）外観では、容体１内の食品８が取出し可能となり、開口操作終了となる。そして、上記イ〜ハまでの移動角度は、９０度位であり（図２８参照）、動作としては、休みのない連続動作である。
【００５０】
次に、前述の実施形態例と一部重複するが、より詳細な実施例を図面に基づき説明する。
【実施例１】
【００５１】
先ず、図１〜図９に示す実施例１について説明する。
食品容器Ａは、容体１、キャップ５及び被蓋１１よりなり、これら全てを合成樹脂製とする。原材料となる合成樹脂は熱可塑性軟質合成樹脂（たとえば、ポリエチレン樹脂やポリプロピレン樹脂等のポリオレフィン系樹脂、ポリスチレン系樹脂、その他）を用い、容体１を細長く構成する。
【００５２】
容体１に充填する食品８は、細長い形状（棹物と称される細長い形状）の水羊かんであって、容体１内に周知の加工材料を常法によって充填し製造する。
容体１の長さと横断面積とは、周知の棹物と称される練羊かんと同寸程度の長さとし、横断面積も同練羊かんと同程度とする。
【００５３】
容体１は、一端部（図１で下端部）を開放端部となして充填食品取出口３を形成すると共に、該食品取出口を前記加工済材料の充填口として利用し、充填工程終了後、不図示のフィルムで密封し、その後被蓋１１を装着して閉塞する。
容体１は、他端部の端壁１’の外面中心部位に開口部材４を外向に突設すると共に、周壁を端壁１’よりも軸方向（容体１の軸方向）の外方へ延設して開口部材４を囲む囲繞壁１”を構成し、この囲繞壁をキャップ５を嵌合するのに利用すると共に、キャップ５を開口操作具として使用するのに利用する。
容体１は、横断面形状を図示例の角形に構成する。
【００５４】
充填食品取出操作部２は、前記外向突設された開口部材４、前記囲繞壁１”、キャップ５（詳しくは、キャップ５の押倒部９）等で構成され、そのキャップを開口操作具として使用することで開口部材４を押倒し、通気口６を開口して食品８を充填食品取出口３から取出すのに使用する。
【００５５】
開口部材４は、キャップ５で押された際に基部付近からポッキリ折れてしまうと、このことによって端壁１’に通気口６が開口されないことになるため、この不利が発生しないようにする手段として、基部に厚肉大径の台座４'を一体に形成し、この台座を端壁１’と薄肉部１’−１で一体に成形して、開口部材４がキャップ５で押されると、台座４’の周辺の薄肉部１’−１が撓み、その撓みが極限に達すると切断され、通気口６が開口されるように構成する。
【００５６】
開口部材４の配設部位は、容体１の端壁１’の中心部位とし、その高さは、容体１の囲繞壁１”の高さよりも若干低い高さに構成し、容体１の周辺に存在する物に接触しないように配設して、開口部材４が損傷しないようにする。
【００５７】
キャップ５は、開口部材４を押倒すための押倒部９を天板５’の内面に突設し、その押倒部の先端部の角部（図１、図６で下端部の右側角部）に半円凹面状の押倒面９’を形成し、開口操作具としてキャップ５を容体１の軸方向に移動（図７で下方へ移動）して操作すると押倒面９’で開口部材４が基部の台座４’周辺の薄肉部１’−１から押倒され、その薄肉部の一部が切断されて通気口６が開口され、容体１内に空気が流入し、該容体内の食品８が取出される。しかして、容体１内の食品８を取出す通気口開口操作を行う場合は、充填食品取出口３を下向にし、不図示のフィルムを剥し、被蓋１１を外して充填食品取出操作部２を操作する。
【００５８】
キャップ５に構成した押倒部９の押倒面９’は、キャップ５の軸方向移動（図７で下方移動）によって開口部材４が押されると、該開口部材が前後方向（図２で上下方向）へ著しく往復動することなく側方（図１で右方向）へ押倒されるように半円凹面状に構成する。
【００５９】
処で、押倒部９の押倒面９’を半円凹面状に形成する目的は厚肉大径の台座４’を開口部材４と一緒に端壁１’から切離して上記側方へ倒すことにあり、そのためには台座４’を押倒部９にスムースに通す必要があるからである。従って、押倒部９の押倒面９'は、開口部材４の台座４'よりも少しく径大に構成する。
【００６０】
通気口６は、容体１の端壁１’に開口部材４の台座４’の大きさに開口されるが、その台座は、自体の周辺の薄肉部１’−１が切断されることによって開口され、容体１内に空気が流入し、その容体内の食品８が取出される。
【００６１】
処で、キャップ５の天板５’の適宜部位に排気孔７を開穿し、キャップ５を軸方向移動して開口部材４を押倒し始めると、容体１の囲繞壁１”及びキャップ５で形成される内腔内の内部空気が圧縮されて排気孔７から次第に排出され始め、キャップ５の軸方向移動を円滑ならしめ、開口部材４を軽い力でスムースに押倒し得る。
【００６２】
キャップ５で開口部材４が倒されて通気口６が開口され、容体１内に空気が流入したとき、キャップ５は、容体１と相互に係合かつ係外する係合部１０（たとえば、係合凸条又は係合凹条１０'）が係合し、容体１から外れずに保持され、通気口６が開口された充填食品取出操作部２を閉鎖し、衛生的な状態を維持する。
【００６３】
図１に符号１１で示す部材は、充填食品取出口３に着脱可能に装着した被蓋であり、容体１に充填されている食品８を取出す際は脱離する。
【実施例２】
【００６４】
次に、図１０〜図１４に示す実施例２について説明する。本例では、実施例１と異なる構成について説明し、実施例１と同じ構成については、同例１に使用した符号と同じ符号を同例１の符号記入部位と同じ部位に付して重複説明を省略する。
【００６５】
充填食品取出操作部２は、容体１の端壁１’に開口部材４を外向突設する構成を実施例１と同じくするが、その開口部材自体の構成（形状及び配設部位）が実施例１の構成と相違する。
【００６６】
開口部材４は、容体１の端壁１’に、台座４’のない形状（細い円錐形）に突設した構成が実施例１の構成と相違し、かつ開口部材４の配設部位が容体１の中心部を外れた偏心部位となっている構成が実施例１の構成と相違する。
【００６７】
キャップ５は、天板５’の中心部位の内面に逆円錐形の押倒部９を設けた構成及び容体１の囲繞壁１”とキャップ５の周壁５”との嵌合形態がねじ嵌合（換言すれば螺合）である構成が実施例１の構成と異なる。
【００６８】
開口部材４と押倒部９との径寸法は、一方が他方よりも径大であればよく、配設部位は、図示例のように開口部材４を容体１の偏心部位に、押倒部９をキャップ５の中心部位に夫々配設すれば、開口部材４が側方（図１２で左方向）へ確実に押倒されるので好ましい構成であると思料する。
【００６９】
しかして、２つの実施例における端壁１’に形成した薄肉部１’−１の面積は、実施例１における開口部材４の台座４’の横断面積及び実施例２における開口部材４の基部の横断面積よりも若干広い面積に構成する。
【００７０】
図１３に示す例は、容体１とキャップ５及び被蓋１１との横断面形状が同じであり、図１４に示す例は、容体１とキャップ５及び被蓋１１との横断面形状が異なる例である（図１４示の例は、容体１の横断面形状が角形、キャップ５及び被蓋１１の横断面形状が円形の例である）。
【実施例３】
【００７１】
次に、図１５〜図２９に示す実施例３について説明する。本例では、実施例１と異なる構成について説明し、実施例１と同じ構成については、同例１に使用した符号と同一の符号を同例１の符号記入部位と同じ部位に付して重複説明を省略する。
【００７２】
容体１は、囲繞壁１”を構成していない点が実施例１の構成と異なる。
【００７３】
充填食品取出操作部２は、容体１の端壁１’に外向突設された開口部材４、キャップ５、押倒部９等で構成することを実施例１の構成と同じくするが、開口部材４の構成（形状と配設部位）、容体１に対するキャップ５の取付構成、キャップ５の内面に設けられる押倒部９の構成などがいずれも実施例１の構成と異なる。
【００７４】
開口部材４は、容体１の端壁１’に円錐形に突設する構成、及び配設部位が容体１の偏心部位となっている構成が夫々実施例１の構成と相違する。
開口部材４は、容体１の端壁１’における偏心部位に円錐形に突設し、かつ基部周囲の端壁１’に切込４’を形成して端壁１’に薄肉部１’−１を構成し、キャップ５を容体１の周方向（図１６の矢印方向）へ操作すると、押倒部９で開口部材４が薄肉部１’−１から押倒され、その薄肉部の全部が切断されて通気口６が開口され、容体１内に空気が流通し、その容体内の食品８が取出されるように構成する。
【００７５】
開口部材４を円錐形に突設する理由は、その開口部材が押された際に基部付近からポッキリ折れてしまうと、端壁１’に通気口６が開口されないことになるため、この不具合の発生を予め防止することを目的とするもので、そのための手段として、開口部材４を基部に至るに従って次第に太く構成するのである。
【００７６】
キャップ５は、天板５’の内面に横断面略Ｓ字形の押倒部９を構成したこと、容体１の端壁１’の中心部位に外向立設された支柱１”に押倒部９の中心部位を周方向移動可能に嵌め、キャップ５を容体１の周方向に移動すると、押倒部９が同時に移動するように構成したキャップ５の取付構成などが実施例１の構成と相違する。
【００７７】
キャップ５は、開口部材４を押倒すための押倒部９を天板５’の内面に横断面略Ｓ字形に一体成形し、かつ該押倒部９をキャップ５の高さよりも若干低い高さに成形し、その押倒部の中心部位を、容体１の端壁１’に外向立設された支柱１”に周方向移動可能に取付け、かつ押倒部９の両端に反円凹面状の押倒面９’を形成し、開口操作具としてキャップ５を容体１の周方向に移動して（周方向に回して）操作すると、押倒面９’で開口部材４が薄肉部１’−１から押倒され、その薄肉部の全部が切断されて通気口６が開口され、該容体の食品８が取出し可能となる。
【００７８】
処で、容体１及びキャップ５の外面形状を同じ角形に成形することと、そのキャップを開口操作具として容体１の周方向へ移動せしめて、外面の方向の違いにより、通気口６が開口されたことを知り得る移動角度と、通気口６がいつ開口されたかという通気口開口時点との関係を図面参照のもとに説明する。
【００７９】
キャップ５を容体１の周方向に移動する前は、容体１及びキャップ５の外面の方向を一致させておく。この場合、押倒部９は開口部材４から離れている（図１５、図１６、図２９（ａ）参照）。
【００８０】
次いで、キャップ５を開口操作具として利用するため、周方向（図１６の矢印方向）へ回すと、容体１の外面とキャップ５の外面が不一致となり、同時にキャップ５内においては、押倒部９の押倒面９’が開口部材４に当接し、その開口部材を押倒すための準備が終了する（図２０、図２２参照）。
【００８１】
さらに、キャップ５を周方向（図２２の矢印方向）へ回すと、容体１の外面とキャップ５の外面が未だ不一致のうちに、開口部材４に当接していた押倒部９の押倒面９’が開口部材４を強く押して倒し始める（図２３、図２４、図２５、図２９（ｂ）参照）。
引続きキャップ５を周方向（図２５の矢印方向）へ回すと、押倒部９（詳しくは、押倒部９の押倒面９’）が開口部材４を押倒し、容体１の端壁１’に形成された薄肉部１’−１の一部を切断し、開口部材４を上記薄肉部１’−１から切離すが、この時、容体１の外面とキャップ５の外面とは、未だ不一致であって一致する直前である（図２３、図２４、図２５から図２６、図２７、図２８へ変る途中）。
そして、容体１の外面とキャップ５の外面とが一致するまでキャップ５を周方向（図２５の矢印方向）へ回せば、押倒部９が開口部材４を容体１（詳しくは、容体１の端壁１’に形成された薄肉部１’−１）から完全に切離して通気口６が開口され、容体１内に空気が流通し、食品８が取出し可能となる（図２６、図２７、図２８、図２９（ｃ）参照）。
【００８２】
上記をまとめると、イ．容体１の外面とキャップ５の外面とが一致した外観では、通気口６は未開口、ロ．容体１の外面とキャップ５の外面とが不一致の外観では、開口部材４の押倒し開始から通気口６の開口へと進行、ハ．再び容体１の外面とキャップ５の外面との一致した外観では、容体１内の食品８が取出し可能となり、開口操作終了となる。これら上記イ〜ハまでの移動角度は、図２８に示す如く９０度位であり、動作としては、連続動作である。従って、キャップ５を開口操作具として容体１の周方向に移動せしめ、外面の方向を異ならしめれば、通気口６が開口されたことを知り得る。具体的には、開口操作具として、キャップ５を９０度だけ周方向へ移動せしめれば、容体１に通気口６が開口されたことになる。
【図面の簡単な説明】
【００８３】
【図１】本発明食品容器の実施例１を表わす一部縦断切欠正面図。
【図２】図１の平面図
【図３】図１のＡ−Ａ線に沿う横断面図。
【図４】図３のＢ−Ｂ線に沿う縦断面図。
【図５】容体の要部縦断正面図。
【図６】キャップの縦断正面図。
【図７】使用方法（通気口開口操作）の説明図。
【図８】キャップの通気口開口状態の拡大縦断正面図。
【図９】図８の平面図。
【図１０】実施例２を示す要部縦断正面図。
【図１１】図１０の左半横断平面図。
【図１２】使用方法（通気口開口操作）の説明図。
【図１３】容体とキャップ及び被蓋との横断面形状が同じ場合の例。
【図１４】容体とキャップ及び被蓋との横断面形状が異なる場合の例。
【図１５】実施例３を示す要部縦断正面図。
【図１６】図１５のＣ−Ｃ線に沿う横断平面図。
【図１７】要部の分解縦断正面図。
【図１８】開口部材の基部及び容体の端壁の一部拡大縦断正面図。
【図１９】図１８の平面図。
【図２０】通気口開口操作の開始を示す要部の縦断正面図。
【図２１】図２０の縦断側面図。
【図２２】図２０の横断平面図。
【図２３】通気口開口操作が進行中の状態を示す要部の縦断正面図。
【図２４】図２３の縦断側面図。
【図２５】図２３の横断平面図。
【図２６】通気口開口操作の終了を示す要部縦断正面図。
【図２７】図２６の縦断側面図。
【図２８】図２６の横断平面図。
【図２９】通気口開口操作の開始から終了までを（ａ）、（ｂ）、（ｃ）の順序で示す要部の拡大縦断側面図。
【符号の説明】
【００８４】
１：容体
２：充填食品取出操作部
３：充填食品取出口
４：開口部材
５：キャップ
６：通気口
【図１】
2006240705.tif 000003
【図２】
2006240705.tif 000004
【図３】
2006240705.tif 000005
【図４】
2006240705.tif 000006
【図５】
2006240705.tif 000007
【図６】
2006240705.tif 000008
【図７】
2006240705.tif 000009
【図８】
2006240705.tif 000010
【図９】
2006240705.tif 000011
【図１０】
2006240705.tif 000012
【図１１】
2006240705.tif 000013
【図１２】
2006240705.tif 000014
【図１３】
2006240705.tif 000015
【図１４】
2006240705.tif 000016
【図１５】
2006240705.tif 000017
【図１６】
2006240705.tif 000018
【図１７】
2006240705.tif 000019
【図１８】
2006240705.tif 000020
【図１９】
2006240705.tif 000021
【図２０】
2006240705.tif 000022
【図２１】
2006240705.tif 000023
【図２２】
2006240705.tif 000024
【図２３】
2006240705.tif 000025
【図２４】
2006240705.tif 000026
【図２５】
2006240705.tif 000027
【図２６】
2006240705.tif 000028
【図２７】
2006240705.tif 000029
【図２８】
2006240705.tif 000030
【図２９】
2006240705.tif 000031